(57)【要約】【課題】モバイルＷｉＭＡＸネットワークのアクセス・ネットワーク・ゲートウェイ装置に関し、移動機の移動に伴って発生する通信経路を変更するリロケーションの成功率を高めると共にリロケーション処理の契機を明確化する。【解決手段】サービス・プロバイダ１２−３と通信中の移動機１２−６が、基地局装置１２−２＃１の配下から基地局装置１２−２＃２の配下へ移動し、ハンド・オーバーに伴い形成された通信経路(1)−(3)−(5)を、経路(4)−(5)に変更するリロケーション処理を実施する際に、ゲートウェイ装置１２−１＃２で、単位時間当たりの全処理データ量ＢＢＢを測定し、予め設定した基準値ＡＡＡと全処理データ量ＢＢＢの値とを比較し、全処理データ量ＢＢＢの値が予め設定した基準値ＡＡＡより小さいと判定されたとき、リロケーション処理を起動する。【選択図】図１
2010124264.tif 000002
【特許請求の範囲】
【請求項１】
コア・サービス・ネットワークとアクセス・サービス・ネットワークとを接続し、移動機のハンド・オーバーに伴う他のアクセス・ネットワーク・ゲートウェイ装置を介した第１の通信径路を、他のアクセス・ネットワーク・ゲートウェイ装置を介さない第２の通信径路に変更するリロケーション処理の機能を有するアクセス・ネットワーク・ゲートウェイ装置において、
前記第２の通信径路のみを経由するアクセス・ネットワーク・ゲートウェイ装置で、単位時間当たりの全処理データ量を測定し、メモリに格納する格納手段と、
予め設定した基準値と前記全処理データ量の値とを比較し、前記全処理データ量の値が前記予め設定した基準値より小さいか否かを判定する判定手段と、
前記判定手段で前記全処理データ量の値が前記予め設定した基準値より小さいと判定されたとき、前記リロケーション処理を起動する起動手段と、
を備えたアクセス・ネットワーク・ゲートウェイ装置。
【請求項２】
コア・サービス・ネットワークとアクセス・サービス・ネットワークとを接続し、移動機のハンド・オーバーに伴う他のアクセス・ネットワーク・ゲートウェイ装置を介した第１の通信径路を、他のアクセス・ネットワーク・ゲートウェイ装置を介さない第２の通信径路に変更するリロケーション処理の機能を有するアクセス・ネットワーク・ゲートウェイ装置において、
前記第２の通信径路のみを経由するアクセス・ネットワーク・ゲートウェイ装置で、前記コア・サービス・ネットワークとの同時接続数を監視し、該同時接続数の値をメモリに格納する格納手段と、
予め設定した基準値と前記同時接続数の値とを比較し、前記同時接続数の値が前記予め設定した基準値より小さいか否かを判定する判定手段と、
前記判定手段で前記同時接続数の値が前記予め設定した基準値より小さいと判定されたとき、前記リロケーション処理を起動する起動手段と、
を備えたアクセス・ネットワーク・ゲートウェイ装置。
【請求項３】
コア・サービス・ネットワークとアクセス・サービス・ネットワークとを接続し、移動機のハンド・オーバーに伴う他のアクセス・ネットワーク・ゲートウェイ装置を介した第１の通信径路を、他のアクセス・ネットワーク・ゲートウェイ装置を介さない第２の通信径路に変更するリロケーション処理の機能を有するアクセス・ネットワーク・ゲートウェイ装置において、
前記第２の通信径路のみを経由するアクセス・ネットワーク・ゲートウェイ装置で、前記他のアクセス・ネットワーク・ゲートウェイ装置との間の同時接続数を監視し、該同時接続数の値をメモリに格納する格納手段と、
予め設定した基準値と前記同時接続数の値とを比較し、前記同時接続数の値が前記予め設定した基準値より大きいか否かを判定する判定手段と、
前記判定手段で前記同時接続数の値が前記予め設定した基準値より大きいと判定されたとき、前記リロケーション処理を起動する起動手段と、
を備えたアクセス・ネットワーク・ゲートウェイ装置。
【請求項４】
コア・サービス・ネットワークとアクセス・サービス・ネットワークとを接続し、移動機のハンド・オーバーに伴う他のアクセス・ネットワーク・ゲートウェイ装置を介した第１の通信径路を、他のアクセス・ネットワーク・ゲートウェイ装置を介さない第２の通信径路に変更するリロケーション処理の機能を有するアクセス・ネットワーク・ゲートウェイ装置において、
前記第２の通信径路のみを経由するアクセス・ネットワーク・ゲートウェイ装置で、前記第１の通信径路による通信の開始時点から経過時間を計測する時間計測手段と、
前記経過時間が、予め規定した待機時間を越えたか否かを判定する判定手段と、
前記判定手段で前記経過時間が前記予め規定した待機時間を越えたと判定されたとき、前記リロケーション処理を起動する起動手段と、
を備えたアクセス・ネットワーク・ゲートウェイ装置。
【請求項５】
コア・サービス・ネットワークとアクセス・サービス・ネットワークとを接続し、移動機のハンド・オーバーに伴う他のアクセス・ネットワーク・ゲートウェイ装置を介した第１の通信径路を、他のアクセス・ネットワーク・ゲートウェイ装置を介さない第２の通信径路に変更するリロケーション処理の機能を有するアクセス・ネットワーク・ゲートウェイ装置において、
前記第２の通信径路のみを経由するアクセス・ネットワーク・ゲートウェイ装置で、自装置のメモリ使用率又はＣＰＵ使用率を測定し、その実測結果を格納する格納手段と、
予め設定した基準値と前記メモリ使用率又はＣＰＵ使用率とを比較し、前記メモリ使用率又はＣＰＵ使用率の値が前記予め設定した基準値より小さいか否かを判定する判定手段と、
前記判定手段で前記メモリ使用率又はＣＰＵ使用率の値が前記予め設定した基準値より小さいと判定されたとき、前記リロケーション処理を起動する起動手段と、
を備えたアクセス・ネットワーク・ゲートウェイ装置。
【発明の詳細な説明】
【技術分野】
【０００１】
本発明は、アクセス・ネットワーク・ゲートウェイ装置に関し、モバイルＷｉＭＡＸ（Mobile Worldwide Interoperability for Microwave Access）ネットワーク等において、移動機の移動に伴って発生する通信経路を変更するリロケーション処理の機能を有するアクセス・ネットワーク・ゲートウェイ装置に関する。
【背景技術】
【０００２】
モバイルＷｉＭＡＸは高速無線ＬＡＮ技術の国際規格であり、そのネットワーク構成は図１２に示すように、アクセス系ネットワークであるアクセス・サービス・ネットワーク（ＡＳＮ）と、ＩＰコアネットワークであるコア・サービス・ネットワーク（ＣＳＮ）とに分けられる。
【０００３】
モバイルＷｉＭＡＸネットワークにおいて、アクセス・ネットワーク・ゲートウェイ装置（ＡＮＳ−ＧＷ）１２−１は、アクセス・サービス・ネットワーク（ＡＳＮ）を介して基地局装置（ＢＳ）１２−２と接続され、また、コア・サービス・ネットワーク（ＣＳＮ）を介してサービス・プロバイダ装置１２−３、認証サーバ１２−４、ホームエージェント１２−５等と接続される。
【０００４】
移動機（加入者端末）１２−６は、無線リンクで基地局装置（ＢＳ）１２−２と接続され、アクセス・ネットワーク・ゲートウェイ装置（ＡＮＳ−ＧＷ）１２−１は、基地局装置（ＢＳ）１２−２を制御し、移動機（加入者端末）１２−６に対する移動無線通信の接続設定を管理する。
【０００５】
移動機（加入者端末）１２−６が移動し、現在通信中の基地局装置（ＢＳ）１２−２＃１の配下の無線ゾーンと異なる無線ゾーンに移動すると、移動先の無線ゾーンをカバーする基地局装置（ＢＳ）１２−２＃２を経由する通信経路に変更するリロケーション処理を実施する必要が有る。
【０００６】
ＷｉＭＡＸネットワークにおけるリロケーションについて図１３を参照して説明する。ここで、Ｒ３インタフェース、Ｒ４インタフェース、及びＲ６インタフェースについて説明する。なお、以下では、アクセス・ネットワーク・ゲートウェイ装置（ＡＮＳ−ＧＷ）を、ゲートウェイ装置（ＡＮＳ−ＧＷ）と記す。
【０００７】
コア・サービス・ネットワーク（ＣＳＮ）を介して接続される例えばサービス・プロバイダ装置１２−３等とゲートウェイ装置（ＡＮＳ−ＧＷ）１２−１との間のインタフェースはＲ３インタフェース、ゲートウェイ装置（ＡＮＳ−ＧＷ）１２−１相互間のインタフェースはＲ４インタフェース、ゲートウェイ装置（ＡＮＳ−ＧＷ）１２−１と基地局装置（ＢＳ）１２−２との間のインタフェースはＲ６インタフェースと称されている。それらのインタフェースは、ＷｉＭＡＸフォーラムＮＷＧ−Ｓｔａｇｅ２によって規定され、ＷｉＭＡＸ標準技術として規格化されている。
【０００８】
今、基地局装置１２−２＃１の配下の移動機（加入者端末）１２−６が、ゲートウェイ装置１２−１＃１を経由してサービス・プロバイダ装置１２−３と通信を開始したとする。このときの通信経路は(1)−(2)となっている。基地局装置１２−２＃１の配下の移動機（加入者端末）１２−６が、基地局装置１２−２＃２の配下へ移動すると、移動機（加入者端末）１２−６の通信は、基地局装置１２−２＃１から基地局装置１２−２＃２へハンド・オーバーされる。このときの通信経路は(1)−(3)−(5)となり、移動機（加入者端末）１２−６はこの通信経路(1)−(3)−(5)を使用してサービス・プロバイダ装置１２−３との通信を続行する。
【０００９】
この状態においては、移動機（加入者端末）１２−６とサービス・プロバイダ装置１２−３と間のデータは、ゲートウェイ装置１２−１＃１とゲートウェイ装置１２−１＃２とを介して送受され、通信経路に冗長性が含まれる。この場合、ネットワークを最適に使用する通信経路は、経路(4)−(5)であり、経路(1)−(3)−(5)から経路(4)−(5)に切り換えるのが好ましい。
【００１０】
この切り換えは、保守者による手動切り換え又はゲートウェイ装置（ＡＮＳ−ＧＷ）１２−１における自動切り換えにより実施可能であるが、切り換えの契機については、ＷｉＭＡＸでは何ら規定されていない。即ち、ゲートウェイ装置（ＡＮＳ−ＧＷ）１２−１とサービス・プロバイダ装置１２−３との間のＲ３インタフェースの経路(1)を含む仮の経路(1)−(3)−(5)を、ゲートウェイ装置（ＡＮＳ−ＧＷ）１２−１間の経路(3)を含まない最終形の経路(4)−(5)に切り換えるＲ３リロケーションに関して、ＷｉＭＡＸ標準仕様ではＲ３リロケーション時の信号インタフェースについて規定しているが、Ｒ３リロケーション処理の契機については何ら規定されていない。
【００１１】
Ｒ３リロケーションについて、下記の特許文献１の段落０００７〜００１８等に記載されている。また、特許文献１にはＲ３リロケーションの契機として、（ａ）システム輻輳、（ｂ）リソース不足（接続数オーバ）、（ｃ）帯域オーバ（Ｒ３側使用帯域オーバ）、（ｄ）保守コマンドによるＲ３リロケーション処理の起動／未起動、について記載されている。
【特許文献１】特開２００８−１４１３７４号公報
【発明の開示】
【発明が解決しようとする課題】
【００１２】
上述の特許文献１等に記載された従来のＲ３リロケーションの契機は、切り換え元のゲートウェイ装置（ＡＮＳ−ＧＷ＃１）におけるシステムリソース等の要因に着目した契機である。本発明は、切り換え先のゲートウェイ装置（ＡＮＳ−ＧＷ＃２）の要因に着目した契機でＲ３リロケーション処理を実施することで、Ｒ３リロケーションの成功率を高めることを目的とする。更に、従来定義されていない運用ポリシー及びシステム障害時によるＲ３リロケーション処理の多様な契機を明確化する。
【課題を解決するための手段】
【００１３】
開示のアクセス・ネットワーク・ゲートウェイ装置は、移動機のハンド・オーバーに伴う他のアクセス・ネットワーク・ゲートウェイ装置を介した第１の通信径路を、他のアクセス・ネットワーク・ゲートウェイ装置を介さない第２の通信径路に変更するリロケーション処理の機能を有するアクセス・ネットワーク・ゲートウェイ装置において、前記第２の通信径路のみを経由するアクセス・ネットワーク・ゲートウェイ装置で、単位時間当たりの全処理データ量を測定し、メモリに格納する格納手段と、予め設定した基準値と前記全処理データ量の値とを比較し、前記全処理データ量の値が前記予め設定した基準値より小さいか否かを判定する判定手段と、前記判定手段で前記全処理データ量の値が前記予め設定した基準値より小さいと判定されたとき、前記リロケーション処理を起動する起動手段と、を備えたものである。
【００１４】
また、前記第２の通信径路のみを経由するアクセス・ネットワーク・ゲートウェイ装置で、前記コア・サービス・ネットワークとの同時接続数を監視し、該同時接続数の値をメモリに格納する格納手段と、予め設定した基準値と前記同時接続数の値とを比較し、前記同時接続数の値が前記予め設定した基準値より小さいか否かを判定する判定手段と、前記判定手段で前記同時接続数の値が前記予め設定した基準値より小さいと判定されたとき、前記リロケーション処理を起動する起動手段と、を備えたものである。
【００１５】
また、前記第２の通信径路のみを経由するアクセス・ネットワーク・ゲートウェイ装置で、前記他のアクセス・ネットワーク・ゲートウェイ装置との間の同時接続数を監視し、該同時接続数の値をメモリに格納する格納手段と、予め設定した基準値と前記同時接続数の値とを比較し、前記同時接続数の値が前記予め設定した基準値より大きいか否かを判定する判定手段と、前記判定手段で前記同時接続数の値が前記予め設定した基準値より大きいと判定されたとき、前記リロケーション処理を起動する起動手段と、を備えたものである。
【００１６】
また、前記第２の通信径路のみを経由するアクセス・ネットワーク・ゲートウェイ装置で、前記第１の通信径路による通信の開始時点から経過時間を計測する時間計測手段と、前記経過時間が、予め規定した待機時間を越えたか否かを判定する判定手段と、前記判定手段で前記経過時間が前記予め規定した待機時間を越えたと判定されたとき、前記リロケーション処理を起動する起動手段と、を備えたものである。
【００１７】
また、前記第２の通信径路のみを経由するアクセス・ネットワーク・ゲートウェイ装置で、自装置のメモリ使用率又はＣＰＵ使用率を測定し、その実測結果を格納する格納手段と、予め設定した基準値と前記メモリ使用率又はＣＰＵ使用率とを比較し、前記メモリ使用率又はＣＰＵ使用率の値が前記予め設定した基準値より小さいか否かを判定する判定手段と、前記判定手段で前記メモリ使用率又はＣＰＵ使用率の値が前記予め設定した基準値より小さいと判定されたとき、前記リロケーション処理を起動する起動手段と、を備えたものである。
【発明の効果】
【００１８】
切り換え先のゲートウェイ装置（ＡＮＳ−ＧＷ＃２）の要因に着目した契機でＲ３リロケーション処理を実施することでＲ３リロケーションの成功率を高めることができる。即ち、切り替え元のゲートウェイ装置（ＡＮＳ−ＧＷ＃１）の要因に基づくＲ３リロケーションでは、切り替え先のゲートウェイ装置（ＡＮＳ−ＧＷ＃２）の状態を反映することなくＲ３リロケーションを行うため、Ｒ３リロケーションが不成功と成る可能性がある。これに対して、切り替え先のゲートウェイ装置（ＡＮＳ−ＧＷ＃２）の状態に基づいてＲ３リロケーションを行うことにより、Ｒ３リロケーションの成功率を高めることができる。
【発明を実施するための最良の形態】
【００１９】
第１の実施形態を図１に示す。同図において、移動機（加入者端末）１２−６が基地局装置１２−１＃１の配下から基地局装置１２−１＃２の配下に移動し、経路(1)−(3)−(5)で通信を行っているものとする。ゲートウェイ装置（ＡＮＳ−ＧＷ）１２−１＃２では、以下のように予め設定した閾値をデータ量が下回った場合、Ｒ３リロケーション処理を実行する。
【００２０】
ゲートウェイ装置（ＡＮＳ−ＧＷ）１２−１＃２に、Ｒ３リロケーション処理を起動するための閾値である処理データ量基準値ＡＡＡと、処理データ量を測定する単位時間ＣＣＣとを予めメモリに設定する。そして、ゲートウェイ装置（ＡＮＳ−ＧＷ）１２−１＃２では単位時間ＣＣＣだけ、自装置内の全処理データ量を測定し、該単位時間当たりの処理データ量ＢＢＢとしてメモリに格納する。
【００２１】
ゲートウェイ装置（ＡＮＳ−ＧＷ）１２−１＃２では、周期的に処理データ量基準値ＡＡＡと単位時間当たりの処理データ量ＢＢＢとを比較し、単位時間当たりの処理データ量ＢＢＢが処理データ量基準値ＡＡＡより小さい値であれば、Ｒ３リロケーション処理を実行し、経路(1)−(3)−(5)を経路(4)−(5)に変更する。
【００２２】
第２の実施形態を図２に示す。同図において、移動した移動機（加入者端末）１２−６が、経路(1)−(3)−(5)で通信を行っているものとする。ゲートウェイ装置（ＡＮＳ−ＧＷ）１２−１＃２には、経路(4)のＲ３インタフェースの同時接続数基準値ＦＦＦを予めメモリに設定しておく。ゲートウェイ装置（ＡＮＳ−ＧＷ）１２−１＃２で、経路(4)の同時接続数を監視し、該同時接続数が同時接続数基準値ＦＦＦよりも小さい値の場合、Ｒ３リロケーション処理を実行し、経路(1)−(3)−(5)を経路(4)−(5)に変更する。
【００２３】
第３の実施形態を図３に示す。同図において、移動した移動機（加入者端末）１２−６が、経路(1)−(3)−(5)で通信を行っているものとする。ゲートウェイ装置（ＡＮＳ−ＧＷ）１２−１＃２は、経路(3)のデータ量が予め設定したデータ量を越えた場合、Ｒ３リロケーション処理を実行する。
【００２４】
ゲートウェイ装置（ＡＮＳ−ＧＷ）１２−１＃２には、Ｒ３リロケーション処理を起動するための処理データ量基準値ＤＤＤと、経路(3)に流れる処理データ量を測定する単位時間ＣＣＣを予めメモリに設定する。ゲートウェイ装置（ＡＮＳ−ＧＷ）１２−１＃２では、単位時間ＣＣＣの経路(3)の処理データ量を測定し、単位時間当たりの処理データ量ＢＢＢとしてメモリに格納する。
【００２５】
ゲートウェイ装置（ＡＮＳ−ＧＷ）１２−１＃２では、周期的にＲ３リロケーション処理起動のための処理データ量基準値ＤＤＤと単位時間当たりの処理データ量ＢＢＢとを比較し、単位時間当たりの処理データ量ＢＢＢが処理データ量基準値ＤＤＤより大きい値であれば、Ｒ３リロケーション処理を実行し、経路(1)−(3)−(5)を経路(4)−(5)に変更する。
【００２６】
第１の実施形態との違いについて説明すると、第３の実施形態は、経路(3)のデータ量に注目したものであり、第１の実施形態は、ゲートウェイ装置（ＡＮＳ−ＧＷ）１２−１＃２全体のデータ量に注目したものである。移動した移動機（加入者端末）１２−６が経路(1)−(3)−(5)で通信を開始した後、経路(3)の処理データ量が、ゲートウェイ装置（ＡＮＳ−ＧＷ）１２−１＃２で設定した処理データ量基準値を超えた場合、Ｒ３リロケーション処理を実行する。
【００２７】
第４の実施形態を図４に示す。同図において、移動した移動機（加入者端末）１２−６が、経路(1)−(3)−(5)で通信を開始した時点から、ゲートウェイ装置（ＡＮＳ−ＧＷ）１２−１＃２で経過時間を計測し、予め規定した可変のリロケーション待機時間ＥＥＥを経過したときに、ゲートウェイ装置（ＡＮＳ−ＧＷ）１２−１＃２は、Ｒ３リロケーション処理を実行し、経路(1)−(3)−(5)を経路(4)−(5)に変更する。
【００２８】
第５の実施形態を図５に示す。同図において、移動した移動機（加入者端末）１２−６が経路(1)−(3)−(5)で通信を行っているものとする。ゲートウェイ装置（ＡＮＳ−ＧＷ）１２−１＃２に、Ｒ３リロケーション処理の契機となるメモリ使用率の閾値又はＣＰＵ使用率の閾値を、それぞれメモリ使用率閾値ＨＨＨ又はＣＰＵ使用率閾値ＩＩＩとして予めメモリに設定しておく。
【００２９】
ゲートウェイ装置（ＡＮＳ−ＧＷ）１２−１＃２では、自装置のメモリ使用率又はＣＰＵ使用率を測定し、その実測結果を単位時間のメモリ使用率ＪＪＪ又は単位時間のＣＰＵ使用率ＫＫＫとしてメモリに格納する。ゲートウェイ装置（ＡＮＳ−ＧＷ）１２−１＃２は、周期的に単位時間のメモリ使用率ＪＪＪとメモリ使用率閾値ＨＨＨとを比較し、単位時間のメモリ使用率ＪＪＪがメモリ使用率閾値ＨＨＨより小さい値であれば、ゲートウェイ装置（ＡＮＳ−ＧＷ）１２−１＃２は、Ｒ３リロケーション処理を実行し、経路(1)−(3)−(5)を経路(4)−(5)に変更する。
【００３０】
また、ゲートウェイ装置（ＡＮＳ−ＧＷ）１２−１＃２は、周期的に単位時間のＣＰＵ使用率ＫＫＫとＣＰＵ使用率閾値ＩＩＩとを比較し、単位時間のＣＰＵ使用率ＫＫＫがＣＰＵ使用率閾値ＩＩＩより小さい値であれば、ゲートウェイ装置（ＡＮＳ−ＧＷ）１２−１＃２は、Ｒ３リロケーション処理を実行し、経路(1)−(3)−(5)を経路(4)−(5)に変更する。
【００３１】
第６の実施形態を図６に示す。移動した移動機（加入者端末）１２−６が、経路(1)−(3)−(5)で通信を開始した後、ゲートウェイ装置（ＡＮＳ−ＧＷ）１２−１＃２は、該通信のビットエラーレート（ＢＥＲ）を計測し、実測値として単位時間当たりのビットエラーレートＭＭＭとして周期的にメモリに格納する。
【００３２】
また、ゲートウェイ装置（ＡＮＳ−ＧＷ）１２−１＃２には、Ｒ３リロケーション処理を実行するトリガの基準となるビットエラーレート基準値ＬＬＬ及び連続周期回数ＮＮＮを予めメモリに設定しておく。連続周期回数とは、単位時間当たりの実測値のビットエラーレートＭＭＭが、リロケーションのビットエラーレート基準値ＬＬＬ以下の値となる連続した周期回数の閾値である。
【００３３】
ゲートウェイ装置（ＡＮＳ−ＧＷ）１２−１＃２は、周期的にビットエラーレート基準値ＬＬＬと単位時間当たりの実測値ビットエラーレートＭＭＭとを比較し、単位時間当たりの実測値ビットエラーレートＭＭＭがビットエラーレート基準値ＬＬＬより小さい値となる周期が、設定値の連続周期回数ＮＮＮを越えたとき、Ｒ３リロケーション処理を実行し、経路(1)−(3)−(5)を経路(4)−(5)に変更する。
【００３４】
第７の実施形態を図７に示す。移動した移動機（加入者端末）１２−６が、経路(1)−(3)−(5)で通信を開始した時点から、ゲートウェイ装置（ＡＮＳ−ＧＷ）１２−１＃１で経過時間を計測し、予め規定した可変のリロケーション待機時間ＥＥＥを経過したときに、ゲートウェイ装置（ＡＮＳ−ＧＷ）１２−１＃１は、Ｒ３リロケーション処理を実行し、経路(1)−(3)−(5)を経路(4)−(5)に変更する。
【００３５】
第８の実施形態を図８に示す。移動した移動機（加入者端末）１２−６が、経路(1)−(3)−(5)で通信を開始した後、ゲートウェイ装置（ＡＮＳ−ＧＷ）１２−１＃１は、該通信のビットエラーレート（ＢＥＲ）を計測し、実測値として単位時間当たりのビットエラーレートＭＭＭとして周期的にメモリに格納する。
【００３６】
また、ゲートウェイ装置（ＡＮＳ−ＧＷ）１２−１＃１には、Ｒ３リロケーション処理を実行するトリガの基準となるビットエラーレート基準値ＬＬＬ及び連続周期回数ＮＮＮを予め設定しておく。連続周期回数とは、単位時間当たりの実測値のビットエラーレートＭＭＭが、ビットエラーレート基準値ＬＬＬ以下の値となる周期回数の閾値である。
【００３７】
ゲートウェイ装置（ＡＮＳ−ＧＷ）１２−１＃１は、周期的にビットエラーレート基準値ＬＬＬと単位時間当たりの実測値のビットエラーレートＭＭＭとを比較し、単位時間当たりの実測値のビットエラーレートＭＭＭがビットエラーレート基準値ＬＬＬより小さい値となる周期回数が、設定値の連続周期回数ＮＮＮを越えたとき、Ｒ３リロケーション処理を実行し、経路(1)−(3)−(5)を経路(4)−(5)に変更する。
【００３８】
第９の実施形態を図９に示す。移動した移動機（加入者端末）１２−６が経路(1)−(3)−(5)で通信を開始した後、ゲートウェイ装置（ＡＮＳ−ＧＷ）１２−１＃１で障害が発生した場合、ゲートウェイ装置（ＡＮＳ−ＧＷ）１２−１＃１は、障害検出手段により障害発生を検出し、Ｒ３リロケーション処理が可能な状態であれば、Ｒ３リロケーション処理を実行し、経路(1)−(3)−(5)を経路(4)−(5)に変更する。
【００３９】
第１０の実施形態を図１０に示す。移動した移動機（加入者端末）１２−６が、経路(1)−(3)−(5)で通信を開始した後、ゲートウェイ装置（ＡＮＳ−ＧＷ）１２−１＃１で再開処理が発生した場合、ゲートウェイ装置（ＡＮＳ−ＧＷ）１２−１＃１は、再開処理検出手段により再開処理の発生を検出し、Ｒ３リロケーション処理が可能な状態であれば、Ｒ３リロケーション処理を実行し、経路(1)−(3)−(5)を経路(4)−(5)に変更する。
【００４０】
図１１にゲートウェイ装置１２の構成を示す。ゲートウェイ装置１２は、レイヤ２スイッチ１１−１と、ユーザ信号処理部（Ｕ−Ｐｌａｎｅ）１１−２と、制御信号処理部（Ｃ−Ｐｌａｎｅ）１１−３とを備える。レイヤ２スイッチ１１−１は、アクセス・サービス・ネットワーク（ＡＳＮ）及びコア・サービス・ネットワーク（ＣＳＮ）との接続におけるレイヤ２のスイッチ機能を有する。
【００４１】
ユーザ信号処理部（Ｕ−Ｐｌａｎｅ）１１−２は、ユーザ信号を処理する機能を有する。制御信号処理部（Ｃ−Ｐｌａｎｅ）１１−３は、Ｒ３インタフェース、Ｒ４インタフェース及びＲ６インタフェースの制御信号を処理する機能を有する。制御信号処理部（Ｃ−Ｐｌａｎｅ）１１−３で、Ｒ３リロケーション処理の契機を検出し、ＷｉＭＡＸ標準仕様に従ったＲ３リロケーション手順を実施する。
【００４２】
以上の実施形態に関し、更に以下の付記を開示する。
（付記１）  コア・サービス・ネットワークとアクセス・サービス・ネットワークとを接続し、移動機のハンド・オーバーに伴う他のアクセス・ネットワーク・ゲートウェイ装置を介した第１の通信径路を、他のアクセス・ネットワーク・ゲートウェイ装置を介さない第２の通信径路に変更するリロケーション処理の機能を有するアクセス・ネットワーク・ゲートウェイ装置において、
前記第２の通信径路のみを経由するアクセス・ネットワーク・ゲートウェイ装置で、単位時間当たりの全処理データ量を測定し、メモリに格納する格納手段と、
予め設定した基準値と前記全処理データ量の値とを比較し、前記全処理データ量の値が前記予め設定した基準値より小さいか否かを判定する判定手段と、
前記判定手段で前記全処理データ量の値が前記予め設定した基準値より小さいと判定されたとき、前記リロケーション処理を起動する起動手段と、
を備えたアクセス・ネットワーク・ゲートウェイ装置。
（付記２）  コア・サービス・ネットワークとアクセス・サービス・ネットワークとを接続し、移動機のハンド・オーバーに伴う他のアクセス・ネットワーク・ゲートウェイ装置を介した第１の通信径路を、他のアクセス・ネットワーク・ゲートウェイ装置を介さない第２の通信径路に変更するリロケーション処理の機能を有するアクセス・ネットワーク・ゲートウェイ装置において、
前記第２の通信径路のみを経由するアクセス・ネットワーク・ゲートウェイ装置で、前記コア・サービス・ネットワークとの同時接続数を監視し、該同時接続数の値をメモリに格納する格納手段と、
予め設定した基準値と前記同時接続数の値とを比較し、前記同時接続数の値が前記予め設定した基準値より小さいか否かを判定する判定手段と、
前記判定手段で前記同時接続数の値が前記予め設定した基準値より小さいと判定されたとき、前記リロケーション処理を起動する起動手段と、
を備えたアクセス・ネットワーク・ゲートウェイ装置。
（付記３）  コア・サービス・ネットワークとアクセス・サービス・ネットワークとを接続し、移動機のハンド・オーバーに伴う他のアクセス・ネットワーク・ゲートウェイ装置を介した第１の通信径路を、他のアクセス・ネットワーク・ゲートウェイ装置を介さない第２の通信径路に変更するリロケーション処理の機能を有するアクセス・ネットワーク・ゲートウェイ装置において、
前記第２の通信径路のみを経由するアクセス・ネットワーク・ゲートウェイ装置で、前記他のアクセス・ネットワーク・ゲートウェイ装置との間の同時接続数を監視し、該同時接続数の値をメモリに格納する格納手段と、
予め設定した基準値と前記同時接続数の値とを比較し、前記同時接続数の値が前記予め設定した基準値より大きいか否かを判定する判定手段と、
前記判定手段で前記同時接続数の値が前記予め設定した基準値より大きいと判定されたとき、前記リロケーション処理を起動する起動手段と、
を備えたアクセス・ネットワーク・ゲートウェイ装置。
（付記４）  コア・サービス・ネットワークとアクセス・サービス・ネットワークとを接続し、移動機のハンド・オーバーに伴う他のアクセス・ネットワーク・ゲートウェイ装置を介した第１の通信径路を、他のアクセス・ネットワーク・ゲートウェイ装置を介さない第２の通信径路に変更するリロケーション処理の機能を有するアクセス・ネットワーク・ゲートウェイ装置において、
前記第２の通信径路のみを経由するアクセス・ネットワーク・ゲートウェイ装置で、前記第１の通信径路による通信の開始時点から経過時間を計測する時間計測手段と、
前記経過時間が、予め規定した待機時間を越えたか否かを判定する判定手段と、
前記判定手段で前記経過時間が前記予め規定した待機時間を越えたと判定されたとき、前記リロケーション処理を起動する起動手段と、
を備えたアクセス・ネットワーク・ゲートウェイ装置。
（付記５）  コア・サービス・ネットワークとアクセス・サービス・ネットワークとを接続し、移動機のハンド・オーバーに伴う他のアクセス・ネットワーク・ゲートウェイ装置を介した第１の通信径路を、他のアクセス・ネットワーク・ゲートウェイ装置を介さない第２の通信径路に変更するリロケーション処理の機能を有するアクセス・ネットワーク・ゲートウェイ装置において、
前記第２の通信径路のみを経由するアクセス・ネットワーク・ゲートウェイ装置で、自装置のメモリ使用率又はＣＰＵ使用率を測定し、その実測結果を格納する格納手段と、
予め設定した基準値と前記メモリ使用率又はＣＰＵ使用率とを比較し、前記メモリ使用率又はＣＰＵ使用率の値が前記予め設定した基準値より小さいか否かを判定する判定手段と、
前記判定手段で前記メモリ使用率又はＣＰＵ使用率の値が前記予め設定した基準値より小さいと判定されたとき、前記リロケーション処理を起動する起動手段と、
を備えたアクセス・ネットワーク・ゲートウェイ装置。
（付記６）  コア・サービス・ネットワークとアクセス・サービス・ネットワークとを接続し、移動機のハンド・オーバーに伴う他のアクセス・ネットワーク・ゲートウェイ装置を介した第１の通信径路を、他のアクセス・ネットワーク・ゲートウェイ装置を介さない第２の通信径路に変更するリロケーション処理の機能を有するアクセス・ネットワーク・ゲートウェイ装置において、
前記第２の通信径路のみを経由するアクセス・ネットワーク・ゲートウェイ装置で、前記第１の通信経路の通信のビットエラーレートを計測し、該ビットエラーレートの値をメモリに格納する格納手段と、
予め設定した基準値と前記ビットエラーレートの値とを比較し、前記ビットエラーレートの値が前記予め設定した基準値より小さいか否かを判定する判定手段と、
前記判定手段で前記ビットエラーレートの値が前記予め設定した基準値より小さいと判定されたとき、前記リロケーション処理を起動する起動手段と、
を備えたアクセス・ネットワーク・ゲートウェイ装置。
（付記７）  コア・サービス・ネットワークとアクセス・サービス・ネットワークとを接続し、移動機のハンド・オーバーに伴う他のアクセス・ネットワーク・ゲートウェイ装置を介した第１の通信径路を、他のアクセス・ネットワーク・ゲートウェイ装置を介さない第２の通信径路に変更するリロケーション処理の機能を有するアクセス・ネットワーク・ゲートウェイ装置において、
前記第１の通信径路を経由し、前記第２の通信径路を経由しないアクセス・ネットワーク・ゲートウェイ装置で、前記第１の通信径路による通信の開始時点から経過時間を計測する時間計測手段と、
前記経過時間が、予め規定した待機時間を越えたか否かを判定する判定手段と、
前記判定手段で前記経過時間が前記予め規定した待機時間を越えたと判定されたとき、前記リロケーション処理を起動する起動手段と、
を備えたアクセス・ネットワーク・ゲートウェイ装置。
（付記８）  コア・サービス・ネットワークとアクセス・サービス・ネットワークとを接続し、移動機のハンド・オーバーに伴う他のアクセス・ネットワーク・ゲートウェイ装置を介した第１の通信径路を、他のアクセス・ネットワーク・ゲートウェイ装置を介さない第２の通信径路に変更するリロケーション処理の機能を有するアクセス・ネットワーク・ゲートウェイ装置において、
前記第１の通信径路を経由し、前記第２の通信径路を経由しないアクセス・ネットワーク・ゲートウェイ装置で、前記第１の通信経路の通信のビットエラーレートを計測し、該ビットエラーレートの値をメモリに格納する格納手段と、
予め設定した基準値と前記ビットエラーレートの値とを比較し、前記ビットエラーレートの値が前記予め設定した基準値より小さいか否かを判定する判定手段と、
前記判定手段で前記ビットエラーレートの値が前記予め設定した基準値より小さいと判定されたとき、前記リロケーション処理を起動する起動手段と、
を備えたアクセス・ネットワーク・ゲートウェイ装置。
(付記９)  コア・サービス・ネットワークとアクセス・サービス・ネットワークとを接続し、移動機のハンド・オーバーに伴う他のアクセス・ネットワーク・ゲートウェイ装置を介した第１の通信径路を、他のアクセス・ネットワーク・ゲートウェイ装置を介さない第２の通信径路に変更するリロケーション処理の機能を有するアクセス・ネットワーク・ゲートウェイ装置において、
前記第１の通信径路を経由し、前記第２の通信径路を経由しないアクセス・ネットワーク・ゲートウェイ装置で、自装置における障害発生を検出する検出手段と、
前記検出手段で障害発生を検出したとき、前記リロケーション処理を起動する起動手段と、
を備えたアクセス・ネットワーク・ゲートウェイ装置。
（付記１０）  コア・サービス・ネットワークとアクセス・サービス・ネットワークとを接続し、移動機のハンド・オーバーに伴う他のアクセス・ネットワーク・ゲートウェイ装置を介した第１の通信径路を、他のアクセス・ネットワーク・ゲートウェイ装置を介さない第２の通信径路に変更するリロケーション処理の機能を有するアクセス・ネットワーク・ゲートウェイ装置において、
前記第１の通信径路を経由し、前記第２の通信径路を経由しないアクセス・ネットワーク・ゲートウェイ装置で、自装置における再開処理の発生を検出する検出手段と、
前記検出手段で再開処理の発生を検出したとき、前記リロケーション処理を起動する起動手段と、
を備えたアクセス・ネットワーク・ゲートウェイ装置。
【図面の簡単な説明】
【００４３】
【図１】第１の実施形態を示す図である。
【図２】第２の実施形態を示す図である。
【図３】第３の実施形態を示す図である。
【図４】第４の実施形態を示す図である。
【図５】第５の実施形態を示す図である。
【図６】第６の実施形態を示す図である。
【図７】第７の実施形態を示す図である。
【図８】第８の実施形態を示す図である。
【図９】第９の実施形態を示す図である。
【図１０】第１０の実施形態を示す図である。
【図１１】ゲートウェイ装置の構成例を示す図である。
【図１２】モバイルＷｉＭＡＸのネットワーク構成例を示す図である。
【図１３】ＷｉＭＡＸネットワークにおけるリロケーションの説明図である。
【符号の説明】
【００４４】
１２−１＃１，＃２  アクセス・ネットワーク・ゲートウェイ装置（ＡＮＳ−ＧＷ）
１２−２＃１，＃２  基地局装置（ＢＳ）
１２−３  サービス・プロバイダ装置
１２−４  認証サーバ
１２−５  ホームエージェント
１２−６  移動機（加入者端末）
【図１】
2010124264.tif 000003
【図２】
2010124264.tif 000004
【図３】
2010124264.tif 000005
【図４】
2010124264.tif 000006
【図５】
2010124264.tif 000007
【図６】
2010124264.tif 000008
【図７】
2010124264.tif 000009
【図８】
2010124264.tif 000010
【図９】
2010124264.tif 000011
【図１０】
2010124264.tif 000012
【図１１】
2010124264.tif 000013
【図１２】
2010124264.tif 000014
【図１３】
2010124264.tif 000015